(57)【要約】【課題】  釣糸巻取装置において、釣果に影響するシャクリ動作の精度を損なうことなく、巻取軸の１回転あたりのトラバース量を小さくするとともに、巻取ドラムからの糸外れ等における被害を最小限にとどめること。【解決手段】  釣糸巻取装置１０において、単一のモータ５０を有するとともに、モータ５０の回転により駆動されて巻取軸２０を回転させる回転作動軸３０と、モータ５０の回転により駆動されて巻取軸２０をトラバースさせるトラバース作動軸４０とを有し、モータ５０の回転を、トラバース作動軸４０を介さずに回転作動軸３０に伝達するとともに、回転作動軸３０を介さずにトラバース作動軸４０に伝達し、モータ５０の回転をトラバース作動軸４０に伝達する回転力伝達系に、トラバース作動軸４０に一定以上の過負荷が作用したときにモータ５０の回転のトラバース作動軸４０への伝達を遮断するトルクリミッタ６０を介装してなるもの。【選択図】  図１
2014103868.tif 000002
【特許請求の範囲】
【請求項１】
ハウジングに支持される巻取軸を正回転させて釣糸を繰り出し、逆回転させて釣糸を巻き取るとともに、該巻取軸を軸方向にトラバースさせ得る釣糸巻取装置において、
単一のモータを有するとともに、モータの回転により駆動されて巻取軸を回転させる回転作動軸と、モータの回転により駆動されて巻取軸をトラバースさせるトラバース作動軸とを有し、
モータの回転を、トラバース作動軸を介さずに回転作動軸に伝達するとともに、回転作動軸を介さずにトラバース作動軸に伝達し、モータの回転をトラバース作動軸に伝達する回転力伝達系に、トラバース作動軸に一定以上の過負荷が作用したときにモータの回転のトラバース作動軸への伝達を遮断するトルクリミッタを介装してなることを特徴とする釣糸巻取装置。
【請求項２】
前記トルクリミッタによるモータの回転のトラバース作動軸への伝達の遮断を検出する手段を有し、その検出結果に基づいてモータの回転を停止制御する請求項１に記載の釣糸巻取装置。
【請求項３】
前記モータの回転方向が釣糸巻取方向にあるときだけ、モータの回転をトラバース作動軸に伝達する手段を有してなる請求項１又は２に記載の釣糸巻取装置。
【請求項４】
前記回転作動軸が、巻取軸の軸方向に移動自在で周方向には回り止めされて該巻取軸の外周に嵌合され、モータの回転により回転されてその回転力を巻取軸に伝えて該巻取軸を回転させ、
前記トラバース作動軸が、トラバース溝を外周に備えて巻取軸に平行配置され、トラバース溝に係合して軸方向にトラバースするトラバース体を備え、該トラバース体を軸方向にて巻取軸に係合させ、モータの回転により回転されてトラバース体をトラバースさせ、そのトラバース力を巻取軸に伝えて該巻取軸をトラバースさせる請求項１〜３のいずれかに記載の釣糸巻取装置。
【発明の詳細な説明】
【技術分野】
【０００１】
本発明は釣糸巻取装置に関する。
【背景技術】
【０００２】
従来、イカ釣機等の釣糸巻取装置として、特許文献１に記載の如く、ハウジングに支持される巻取軸を正回転させて釣糸を繰り出し、逆回転させて釣糸を巻き取るとともに、該巻取軸を軸方向にトラバースさせるものがある。
【０００３】
即ち、イカ釣漁では、複数の釣糸巻取装置を船べりに設置し、巻取軸に取付けた巻取ドラムに巻付けた釣糸の先端に錘を取付け、その上側には多数（例えば40本）の擬餌針を一定間隔で連結する。巻取軸の正回転により釣糸を繰り出すと、釣糸の先端に取付けた錘の自重で、擬餌針が設定された水深まで下降する。錘が設定した水深に到達後の釣糸の巻上げ時には、擬餌針がイワシ等の小魚に見えるように、釣糸の巻上げ速度に緩急の変化を与えるシャクリ動作を行なう。また、この釣糸の巻上げ時には、釣糸に連結した擬餌針が巻取ドラム上で上下に重ならないように巻取らないと、次工程の釣糸の繰り出し時に擬餌針同士が絡み合って操業を継続できなくたるため、一般的に巻取軸を軸方向にトラバースさせ、巻取ドラムを左右に移動させながら釣糸を巻取る。
【０００４】
図４に示した従来装置１は、巻取軸１０１の外周にトラバース作動軸１０２を同軸一体化し、トラバース作動軸１０２の外周にスライドキーを介して嵌合した回転作動軸１０３をハウジング１０４に回転可能に枢支するとともに、トラバース作動軸１０２の外周に備えたトラバース溝１０２Ａに係合するトラバース体１０２Ｂを回転作動軸１０３に固定的に設ける。巻取軸１０１及びトラバース作動軸１０２は、トラバース作動軸１０２と回転作動軸１０３の間のスライドキーの存在により、回転作動軸１０３の軸方向に移動自在で周方向には回り止めされる。電動モータ１０５の出力軸に設けたスプロケット１０６と回転作動軸１０３の外周に固定したスプロケット１０７をチェーン１０８により連結する。これにより、電動モータ１０５の回転により回転作動軸１０３が回転（正回転又は逆回転）すると、巻取軸１０１及びトラバース作動軸１０２が、トラバース作動軸１０２と回転作動軸１０３の間のスライドキーの存在により回転するとともに、回転作動軸１０３と一体に回転するトラバース体１０２Ｂとトラバース作動軸１０２のトラバース溝１０２Ａとの係合により軸方向の左右にトラバースする。
【０００５】
図５に示した従来装置２は、巻取軸２０１をハウジング２０４に回転及び軸方向移動可能に枢支するとともに、トラバース作動軸２０２をハウジング２０４に回転可能に枢支している。そして、巻取軸２０１の外周に回転作動体２０３を固定している。トラバース作動軸２０２の外周に備えたトラバース溝２０２Ａに係合するトラバース体２０２Ｂを回転作動体２０３と軸方向にて一体移動可能に連結する。電動モータ２０５の出力軸に設けたスプロケット２０６とトラバース作動軸２０２の外周に固定したスプロケット２０７をチェーン２０８により連結する。更に、トラバース作動軸２０２の外周にスライドキーを介して嵌合され、かつトラバース体２０２Ｂと軸方向に一体移動可能に取付けられたスプロケット２１１と、巻取軸２０１の外周に固定したスプロケット２１２をチェーン２１３により連結する。これにより、電動モータ２０５の回転によりトラバース作動軸２０２が回転（正回転又は逆回転）すると、チェーン２１３の存在により巻取軸２０１が回転するとともに、トラバース作動軸２０２のトラバース溝２０２Ａとトラバース体２０２Ｂとの係合、及びトラバース体２０２Ｂと回転作動体２０３の軸方向における連結により巻取軸２０１が軸方向の左右にトラバースする。
【先行技術文献】
【特許文献】
【０００６】
【特許文献１】特開平6-197673
【発明の概要】
【発明が解決しようとする課題】
【０００７】
従来装置１は、電動モータ１０５の回転がチェーン１０８を介して回転作動軸１０３を回転させると、回転作動軸１０３の回転がスライドキーを介して直ちに巻取軸１０１（及びトラバース作動軸１０２）を回転させるから、擬餌針を小魚に見せるシャクリ動作を高精度に行なうことができる。
【０００８】
ところが、従来装置１では、巻取軸１０１にトラバース作動軸１０２を回転一体化しているため、巻取軸１０１の１回転あたりのトラバース量（トラバース作動軸１０２の１回転あたりのトラバース溝１０２Ａのピッチ長と同じ）を小さくできず、ひいては巻取軸１０１に取付けた巻取ドラムの１巻取回転あたりの釣糸の横移動幅が大きくなり、巻取ドラム上での擬餌針の上下の重なりが多くなる。
【０００９】
従来装置２は、電動モータ２０５の回転がチェーン２０８を介してトラバース作動軸２０２を回転させるとともに、トラバース作動軸２０２の回転をスプロケット２１１、２１２、チェーン２１３の存在により増速して巻取軸２０１に伝えることができる。従って、巻取軸２０１のトラバース作動軸２０２に対する増速比をＮとするとき、巻取軸２０１の１回転あたりのトラバース量を、トラバース作動軸２０２の１回転あたりのトラバース溝２０２Ａのピッチ長Ｐの１／Ｎにまで小さくでき、ひいては巻取軸２０１に取付けた巻取ドラムの１巻取回転あたりの釣糸の横移動幅を小さくし、巻取ドラム上での擬餌針の上下の重なりを少なく、釣糸の繰り出し時における擬餌針同士の絡み合いを抑制できる。
【００１０】
ところが、従来装置２では、電動モータ２０５の回転がチェーン２０８を介してトラバース作動軸２０２を回転させ、更にチェーン２１３を介して巻取軸２０１を回転させるから、その間の回転伝達系のバックラッシュが多くなり、擬餌針を小魚に見せるシャクリ動作の精度を損ない、釣果に悪影響する。
【００１１】
また、従来装置２では、巻取軸２０１をトラバース作動軸２０２により増速させているから、トラバース作動軸２０２は巻取軸２０１よりも強度を必要とする。釣糸の巻取ドラムに対する繰り出し、巻取り時に糸外れ等を生じ、釣糸が巻取軸２０１に巻付いたとき、巻取軸２０１の左右のトラバースに過大な抵抗力が作用すると、トラバース作動軸２０２まわりの回転伝達系部品を破損させるおそれがある。
【００１２】
また、従来装置２（従来装置１も同じ）では、巻取軸２０１を左右にトラバースして巻取ドラムを左右に移動させながら、釣糸の繰り出し、巻取りを行なうため、釣糸が巻取ドラムから外れる糸外れを生じ、操業できなくなるおそれがある。特に、釣糸の繰り出し動作は錘の自重でなされるため、巻取ドラムが左右の移動端にきたときには、船のローリング、ピッチング等で釣糸が弛み、糸外れを起こし易い。
【００１３】
本発明の課題は、釣糸巻取装置において、釣果に影響するシャクリ動作の精度を損なうことなく、巻取軸の１回転あたりのトラバース量を小さくするとともに、巻取ドラムからの糸外れ等における被害を最小限にとどめることにある。
【００１４】
本発明の他の課題は、巻取ドラムからの糸外れを減少させることにある。
【課題を解決するための手段】
【００１５】
請求項１に係る発明は、ハウジングに支持される巻取軸を正回転させて釣糸を繰り出し、逆回転させて釣糸を巻き取るとともに、該巻取軸を軸方向にトラバースさせ得る釣糸巻取装置において、単一のモータを有するとともに、モータの回転により駆動されて巻取軸を回転させる回転作動軸と、モータの回転により駆動されて巻取軸をトラバースさせるトラバース作動軸とを有し、モータの回転を、トラバース作動軸を介さずに回転作動軸に伝達するとともに、回転作動軸を介さずにトラバース作動軸に伝達し、モータの回転をトラバース作動軸に伝達する回転力伝達系に、トラバース作動軸に一定以上の過負荷が作用したときにモータの回転のトラバース作動軸への伝達を遮断するトルクリミッタを介装してなるようにしたものである。
【００１６】
請求項２に係る発明は、請求項１に係る発明において更に、前記トルクリミッタによるモータの回転のトラバース作動軸への伝達の遮断を検出する手段を有し、その検出結果に基づいてモータの回転を停止制御するようにしたものである。
【００１７】
請求項３に係る発明は、請求項１又は２に係る発明において更に、前記モータの回転方向が釣糸巻取方向にあるときだけ、モータの回転をトラバース作動軸に伝達する手段を有してなるようにしたものである。
【００１８】
請求項４に係る発明は、請求項１〜３のいずれかに係る発明において更に、前記回転作動軸が、巻取軸の軸方向に移動自在で周方向には回り止めされて該巻取軸の外周に嵌合され、モータの回転により回転されてその回転力を巻取軸に伝えて該巻取軸を回転させ、前記トラバース作動軸が、トラバース溝を外周に備えて巻取軸に平行配置され、トラバース溝に係合して軸方向にトラバースするトラバース体を備え、該トラバース体を軸方向にて巻取軸に係合させ、モータの回転により回転されてトラバース体をトラバースさせ、そのトラバース力を巻取軸に伝えて該巻取軸をトラバースさせるようにしたものである。
【発明の効果】
【００１９】
（請求項１）
(a)モータの回転が、回転作動軸とトラバース作動軸のそれぞれに独立的に伝達される。従って、回転作動軸により回転される巻取軸の回転数と、トラバース作動軸によりトラバースされる巻取軸のトラバース量を互いに独立に設定できる。例えば、巻取軸に回り止めされる回転作動軸のトラバース作動軸に対する増速比をＮとするとき、巻取軸の１回転あたりのトラバース量を、トラバース作動軸の１回転あたりのトラバース溝のピッチ長Ｐの１／Ｎにまで小さくでき、ひいては巻取軸に取付けた巻取ドラムの１巻取回転あたりの釣糸の横移動幅を小さくし、巻取ドラム上での擬餌針の上下の重なりを少なく、釣糸の繰り出し時における擬餌針同士の絡み合いを抑制できる。
【００２０】
(b)モータの回転がトラバース作動軸を介さずに直に回転作動軸、ひいては巻取軸に伝達されるから、その間の回転伝達系のバックラッシュが少なく、擬餌針を小魚に見せるシャクリ動作を高精度に行ない、釣果を向上できる。
【００２１】
(c)モータの回転を、トラバース作動軸を介さずに回転作動軸に伝達するとともに、回転作動軸を介さずにトラバース作動軸に伝達し、モータの回転をトラバース作動軸に伝達する回転力伝達系に、トラバース作動軸に一定以上の過負荷が作用したときにモータの回転のトラバース作動軸への伝達を遮断するトルクリミッタを介装した。従って、釣糸の巻取ドラムに対する繰り出し、巻き取り時に糸外れ等を生じ、釣糸が巻取軸に巻付いたとき、巻取軸の左右のトラバースに過大な抵抗力が作用すると、トルクリミッタの作動によってトラバース軸の回転が停止し、ひいては巻取軸の左右のトラバースが直ちに停止し、回転伝達系部品の破損を回避できる。
【００２２】
（請求項２）
(d)トルクリミッタによるモータの回転のトラバース作動軸への伝達の遮断を検出する手段を有し、その検出結果に基づいてモータの回転を停止制御させる。従って、巻取ドラムからの糸外れ等における被害を最小限にとどめることができる。
【００２３】
（請求項３）
(e)モータの回転方向が釣糸巻取方向にあるときだけ、モータの回転をトラバース作動軸に伝達する手段を有する。釣糸の繰り出し時には、巻取軸のトラバースを停止させるものになり、巻取ドラムが正回転だけして横移動しないから、巻取ドラムから繰り出される釣糸は船のローリング、ピッチング等で弛んでも、巻取ドラムからの糸外れを生じにくい。釣糸は、巻取ドラムの前方に設置されている釣糸ガイド用前ローラに案内され、錘の自重により安定的に目標位置に下りていく。
【００２４】
（請求項４）
(f)前記回転作動軸が、巻取軸の軸方向に移動自在で周方向には回り止めされて該巻取軸の外周に嵌合され、モータの回転により回転されてその回転力を巻取軸に伝えて該巻取軸を回転させ、前記トラバース作動軸が、トラバース溝を外周に備えて巻取軸に平行配置され、トラバース溝に係合して軸方向にトラバースするトラバース体を備え、該トラバース体を軸方向にて巻取軸に係合させ、モータの回転により回転されてトラバース体をトラバースさせ、そのトラバース力を巻取軸に伝えて該巻取軸をトラバースさせる。釣糸巻取装置のコンパクトを図ることができる。
【図面の簡単な説明】
【００２５】
【図１】図１は釣糸巻取装置を示す正面図である。
【図２】図２は釣糸巻取装置を示す側面図である。
【図３】図３は釣糸巻取装置の要部を示し、（Ａ）は正面図、（Ｂ）は側面図である。
【図４】図４は従来装置１を示す正面図である。
【図５】図５は従来装置２を示す正面図である。
【発明を実施するための形態】
【００２６】
釣糸巻取装置１０は、図１、図２に示す如く、ハウジング１１に支持される巻取軸２０を回転させつつ軸方向にトラバース可能にし、巻取軸２０の両端部のそれぞれに固定した巻取ドラム（不図示）に釣糸を巻取る。釣糸は、錘を取付けた先端の上側に多数の擬餌針を一定間隔で連結しており、巻取軸２０の正回転によって巻取ドラムから繰り出され、巻取軸２０の逆回転によって巻取ドラムに巻き取られる。
【００２７】
釣糸巻取装置１０は、単一の電動モータ５０を有するとともに、電動モータ５０の回転により駆動されて巻取軸２０を回転させる回転作動軸３０と、電動モータ５０の回転により駆動されて巻取軸２０をトラバース（巻取軸２０の軸方向に沿う左右横移動）させるトラバース作動軸４０とを有する。
【００２８】
釣糸巻取装置１０は、電動モータ５０の回転を、トラバース作動軸４０を介さずに回転作動軸３０に伝達するとともに、回転作動軸３０を介さずにトラバース作動軸４０に伝達する。具体的には、釣糸巻取装置１０は以下の如くに構成される。
【００２９】
釣糸巻取装置１０において、巻取軸２０はハウジング１１に回転可能かつ軸方向に移動可能に枢支され、カラー２１を外周に固定されて備える。
【００３０】
回転作動軸３０は、巻取軸２０のカラー２１の外周にスライドキー３１を介して嵌合されるスリーブ状をなし、巻取軸２０の軸方向に移動自在で周方向には回り止めされる。回転作動軸３０は、電動モータ５０の回転により回転されてその回転力を巻取軸２０に伝え、巻取軸２０を回転させる。電動モータ５０の出力軸に設けたスプロケット５１と、回転作動軸３０の外周に固定したスプロケット５２を、チェーン５３により連結している。
【００３１】
トラバース作動軸４０は、ハウジング１１に回転可能に枢支され、巻取軸２０及び回転作動軸３０に平行配置される。トラバース作動軸４０は、カラー４１を外周に固定され、カラー４１の外周の双方向に螺旋状をなすトラバース溝４２を備える。トラバース作動軸４０は、カラー４１の外周に相対移動可能に嵌合されるトラバース体４３を備える。トラバース体４３はトラバース溝４２に係合する送り駒４４を備え、トラバース溝４２の回転とともにトラバース作動軸４０の軸方向にトラバースする。トラバース体４３は巻取軸２０のカラー２１の外周に設けたスラストベアリング２２を介して、巻取軸２０の軸方向に係合する２又状フォーク部４３Ａを備える。トラバース作動軸４０は、電動モータ５０の回転により回転され、トラバース溝４２に係合するトラバース体４３をトラバースさせ、そのトラバース力をフォーク部４３Ａにより巻取軸２０に伝えて該巻取軸２０をトラバースさせる。電動モータ５０の出力軸に設けたスプロケット５４と、トラバース作動軸４０の外周に設けたスプロケット５５を、チェーン５６により連結している。
【００３２】
釣糸巻取装置１０は、電動モータ５０の回転をトラバース作動軸４０に伝達する回転力伝達系に、トラバース作動軸４０に一定以上の過負荷が作用したときに、電動モータ５０の回転のトラバース作動軸４０への伝達を遮断するトルクリミッタ６０を介装している。本実施例のトルクリミッタ６０は、図３に示す如く、トラバース作動軸４０の外周に空転可能に嵌合した前述のスプロケット５５の両側に、トラバース作動軸４０に回り止めされて挿着された２枚のメタル６１、６２を設ける。そして、一方のメタル６１を押圧ナット６３により押圧し、この一方のメタル６１と他方のメタル６２でスプロケット５５を挟圧し、その挟圧力の調整により適当な遮断トルクを設定するものとしている。
【００３３】
更に、釣糸巻取装置１０は、トルクリミッタ６０による電動モータ５０の回転のトラバース作動軸４０への伝達の遮断を検出する検出手段６４を有し、その検出結果に基づいて電動モータ５０の回転を停止制御する。本実施例の検出手段６４は、図３に示す如く、トラバース作動軸４０の外周にスリット板６４Ａを固定し、検出器６４Ｂによりスリット板６４Ａの回転の停止を検出したとき、電動モータ５０の回転をトラバース作動軸４０へ伝達することが遮断されたことを検出する。
【００３４】
釣糸巻取装置１０は、電動モータ５０の回転方向が釣糸巻取方向にあるときだけ、電動モータ５０の回転をトラバース作動軸４０に伝達する伝達手段７０を有する。本実施例の伝達手段７０は、トラバース作動軸４０の外周に空転可能に嵌合した前述のスプロケット５５と、トラバース作動軸４０との間に介装されたワンウエイクラッチ７１により構成される。釣糸繰り出し時には、トラバース作動軸４０の回転による巻取軸２０のトラバースが停止されるものになる。
【００３５】
本実施例によれば、以下の作用効果を奏する。
(a)電動モータ５０の回転が、回転作動軸３０とトラバース作動軸４０のそれぞれに独立的に伝達される。従って、回転作動軸３０により回転される巻取軸２０の回転数と、トラバース作動軸４０によりトラバースされる巻取軸２０のトラバース量を互いに独立に設定できる。例えば、巻取軸２０に回り止めされる回転作動軸３０のトラバース作動軸４０に対する増速比をＮとするとき、巻取軸２０の１回転あたりのトラバース量を、トラバース作動軸４０の１回転あたりのトラバース溝４２のピッチ長Ｐの１／Ｎにまで小さくでき、ひいては巻取軸２０に取付けた巻取ドラムの１巻取回転あたりの釣糸の横移動幅を小さくし、巻取ドラム上での擬餌針の上下の重なりを少なく、釣糸の繰り出し時における擬餌針同士の絡み合いを抑制できる。
【００３６】
(b)電動モータ５０の回転がトラバース作動軸４０を介さずに直に回転作動軸３０、ひいては巻取軸２０に伝達されるから、その間の回転伝達系のバックラッシュが少なく、擬餌針を小魚に見せるシャクリ動作を高精度に行ない、釣果を向上できる。
【００３７】
(c)電動モータ５０の回転を、トラバース作動軸４０を介さずに回転作動軸３０に伝達するとともに、回転作動軸３０を介さずにトラバース作動軸４０に伝達し、電動モータ５０の回転をトラバース作動軸４０に伝達する回転力伝達系に、トラバース作動軸４０に一定以上の過負荷が作用したときに電動モータ５０の回転のトラバース作動軸４０への伝達を遮断するトルクリミッタ６０を介装した。従って、釣糸の巻取ドラムに対する繰り出し、巻き取り時に糸外れ等を生じ、釣糸が巻取軸２０に巻付いたとき、巻取軸２０の左右のトラバースに過大な抵抗力が作用すると、トルクリミッタ６０の作動によってトラバース軸の回転が停止し、ひいては巻取軸２０の左右のトラバースが直ちに停止し、回転伝達系部品の破損を回避できる。
【００３８】
(d)トルクリミッタ６０による電動モータ５０の回転のトラバース作動軸４０への伝達の遮断を検出する検出手段６４を有し、その検出結果に基づいて電動モータ５０の回転を停止制御させる。従って、巻取ドラムからの糸外れ等における被害を最小限にとどめることができる。
【００３９】
(e)電動モータ５０の回転方向が釣糸巻取方向にあるときだけ、電動モータ５０の回転をトラバース作動軸４０に伝達する伝達手段７０を有する。釣糸の繰り出し時には、巻取軸２０のトラバースを停止させるものになり、巻取ドラムが正回転だけして横移動しないから、巻取ドラムから繰り出される釣糸は船のローリング、ピッチング等で弛んでも、巻取ドラムからの糸外れを生じにくい。釣糸は、巻取ドラムの前方に設置されている釣糸ガイド用前ローラに案内され、錘の自重により安定的に目標位置に下りていく。
【００４０】
(f)前記回転作動軸３０が、巻取軸２０の軸方向に移動自在で周方向には回り止めされて該巻取軸２０の外周に嵌合され、電動モータ５０の回転により回転されてその回転力を巻取軸２０に伝えて該巻取軸２０を回転させ、前記トラバース作動軸４０が、トラバース溝４２を外周に備えて巻取軸２０に平行配置され、トラバース溝４２に係合して軸方向にトラバースするトラバース体４３を備え、該トラバース体４３を軸方向にて巻取軸２０に係合させ、電動モータ５０の回転により回転されてトラバース体４３をトラバースさせ、そのトラバース力を巻取軸２０に伝えて該巻取軸２０をトラバースさせる。釣糸巻取装置１０のコンパクトを図ることができる。
【００４１】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００４２】
本発明は、ハウジングに支持される巻取軸を正回転させて釣糸を繰り出し、逆回転させて釣糸を巻き取るとともに、該巻取軸を軸方向にトラバースさせ得る釣糸巻取装置において、単一のモータを有するとともに、モータの回転により駆動されて巻取軸を回転させる回転作動軸と、モータの回転により駆動されて巻取軸をトラバースさせるトラバース作動軸とを有し、モータの回転を、トラバース作動軸を介さずに回転作動軸に伝達するとともに、回転作動軸を介さずにトラバース作動軸に伝達し、モータの回転をトラバース作動軸に伝達する回転力伝達系に、トラバース作動軸に一定以上の過負荷が作用したときにモータの回転のトラバース作動軸への伝達を遮断するトルクリミッタを介装した。これにより、釣糸巻取装置において、釣果に影響するシャクリ動作の精度を損なうことなく、巻取軸の１回転あたりのトラバース量を小さくするとともに、巻取ドラムからの糸外れ等における被害を最小限にとどめることができる。
【符号の説明】
【００４３】
１０  釣糸巻取装置
１１  ハウジング
２０  巻取軸
３０  回転作動軸
４０  トラバース作動軸
４２  トラバース溝
４３  トラバース体
５０  電動モータ（モータ）
６０  トルクリミッタ
６４  検出手段
７０  伝達手段
７１  ワンウエイクラッチ
【図１】
2014103868.tif 000003
【図２】
2014103868.tif 000004
【図３】
2014103868.tif 000005
【図４】
2014103868.tif 000006
【図５】
2014103868.tif 000007